(57)【要約】【課題】  同時画面をディスプレイする装置及び方法を提供する。【解決手段】  （ａ）ワイド型ディスプレイ機器の外部から入力される多様なビデオ信号のうち同時画面ディスプレイのために一般画面比率を有する所定の第１及び第２ビデオ信号を受信する段階、（ｂ）前記第１ビデオ信号を一般画面比率の主画面解像度でスケーリングし、前記第２ビデオ信号を一般画面比率の補助画面解像度でスケーリングする段階、（ｃ）前記スケーリングされた第１ビデオ信号を画面の一定領域にディスプレイし、前記スケーリングされた第２ビデオ信号を画面の残りの領域に同時にディスプレイする段階を含む同時画面をディスプレイする方法である。これにより、同時画面をディスプレイできるディスプレイ機器で、主画面をディスプレイ機器の右側または左側空間に偏って４：３割合でディスプレイし、補助画面を残りの空間の一部に４：３割合でディスプレイする同時画面をディスプレイすることによって画面の歪曲なしに正常的な画面情報を提供できる。【選択図】      図４
2005020743.tif 000002
【特許請求の範囲】
【請求項１】
ワイド型ディスプレイ機器であって、
前記ディスプレイ機器の外部から入力される多様なビデオ信号のうち選択制御信号によって一般画面比率を有する所定の第１及び第２ビデオ信号を受信するビデオインターフェースと、
スケーリング制御信号によって前記第１ビデオ信号を一般画面比率の主画面解像度でスケーリングし、前記第２ビデオ信号を一般画面比率の補助画面解像度でスケーリングするスケーラと、
同時画面ディスプレイのために前記選択制御信号を出力し、前記第１及び第２ビデオ信号の主画面及び補助画面選択信号によって前記第１及び第２ビデオ信号のスケーリング動作を制御し、前記スケーリングされた第１ビデオ信号を画面の一定領域にディスプレイし、前記スケーリングされた第２ビデオ信号を画面の残りの領域の一部に同時にディスプレイする制御部と、を含む同時画面をディスプレイする装置。
【請求項２】
前記スケーラは、
１２８０×７６８解像度の全体画面に前記第１ビデオ信号を１０２４×７６８解像度でスケーリングし、前記第２ビデオ信号を２５６×１９２解像度でスケーリングすることを特徴とする請求項１に記載の同時画面をディスプレイする装置。
【請求項３】
前記制御部は、
前記同時画面を表示しようとする時、主画面と補助画面とに当るそれぞれの第１及び第２ビデオ信号が有している元来の横、縦画面比率を歪曲なしにそのまま表示されるように制御することを特徴とする請求項１に記載の同時画面をディスプレイする装置。
【請求項４】
前記制御部は、
画面転換信号によって前記主画面を前記補助画面に、前記補助画面を前記主画面に転換できることを特徴とする請求項１に記載の同時画面をディスプレイする装置。
【請求項５】
前記制御部は、
前記主画面を前記補助画面に転換する場合、前記主画面に対して一般画面比率を維持させつつ段階的に縮小させるスケーリング制御信号を出力し、前記補助画面を前記主画面に転換する場合、前記補助画面に対して一般画面比率を維持させつつ段階的に拡大させるスケーリング制御信号を出力することを特徴とする請求項４に記載の同時画面をディスプレイする装置。
【請求項６】
前記段階的な画面転換過程が前記ディスプレイ機器の画面にディスプレイされることを特徴とする請求項５に記載の同時画面をディスプレイする装置。
【請求項７】
ワイド型ディスプレイ機器の外部から入力される多様なビデオ信号のうち同時画面ディスプレイのために一般画面比率を有する所定の第１及び第２ビデオ信号を受信する段階と、
前記第１ビデオ信号を一般画面比率の主画面解像度でスケーリングし、前記第２ビデオ信号を一般画面比率の補助画面解像度でスケーリングする段階と、
前記スケーリングされた第１ビデオ信号を画面の一定領域にディスプレイし、前記スケーリングされた第２ビデオ信号を画面の残りの領域の一部に同時にディスプレイする段階とを含む同時画面をディスプレイする方法。
【請求項８】
外部の画面転換信号によって前記第１ビデオ信号の主画面を前記第２ビデオ信号の補助画面に、前記第２ビデオ信号の補助画面を前記第１ビデオ信号の主画面に転換する段階をさらに含むことを特徴とする請求項７に記載の同時画面をディスプレイする方法。
【請求項９】
前記主画面を前記補助画面に転換する場合、前記主画面に対して一般画面比率を維持させつつ段階的に縮小させ、前記補助画面を前記主画面に転換する場合、前記補助画面に対して一般画面比率を維持させつつ段階的に拡大させることを特徴とする請求項８に記載の同時画面をディスプレイする方法。
【請求項１０】
前記第１ビデオ信号を１０２４×７６８解像度でスケーリングし、前記第２ビデオ信号を２５６×１９２解像度でスケーリングする段階をさらに含むことを特徴とする請求項７に記載の同時画面をディスプレイする方法。
【請求項１１】
同時画面のディスプレイを可能にするディスプレイ装置において、
選択制御信号によって複数のビデオ信号間で第１及び第２ビデオ信号を受信するビデオインターフェースと、
スケーリング制御信号によって前記第１及び第２信号をそれぞれ主画面の解像度及び補助画面の解像度でスケーリングするスケーラと、
前記第１及び第２ビデオ信号のスケーリングを制御し、前記ディスプレイ装置の各領域上にそれぞれスケールされたビデオ画面を同時にディスプレイする制御部とを含む同時画面をディスプレイする装置。
【請求項１２】
前記制御部は、前記同時画面をディスプレイする選択制御信号を出力することを特徴とする請求項１１に記載の同時画面をディスプレイする装置。
【請求項１３】
前記制御部は、前記画面上に第１ビデオ信号を、前記画面の残りの領域の一部に第２ビデオ信号を同時にディスプレイすることを特徴とする請求項１２に記載の同時画面をディスプレイする装置。
【請求項１４】
前記ビデオインターフェースは、Ｄ−ＳＵＢ端子、ＤＶＩ端子、Ｓ−ＶＩＤＥＯ端子、ＴＶチューナ端子及びＣＯＭＰＯＳＩＴＥ端子を含むことを特徴とする請求項１３に記載の同時画面をディスプレイする装置。
【請求項１５】
前記Ｄ−ＳＵＢ端子及び／またはＤＶＩ端子は、前記スケーラに直接ビデオ信号を伝送することを特徴とする請求項１４に記載の同時画面をディスプレイする装置。
【請求項１６】
前記Ｓ−ＶＩＤＥＯ端子、ＴＶチューナ端子及びＣＯＭＰＯＳＩＴＥ端子のうち一つを通じて前記ビデオインターフェースから出力されるビデオ信号をデコーディングするビデオデコーダをさらに含むことを特徴とする請求項１５に記載の同時画面をディスプレイする装置。
【請求項１７】
前記デコーディングされたビデオ信号をデインターレースして前記スケーラに結果信号を出力するデインターレーサをさらに含むことを特徴とする請求項１６に記載の同時画面をディスプレイする装置。
【請求項１８】
前記スケーラは、前記解像度は修正し、前記ディスプレイ装置に前記修正された第１及び第２ビデオ信号の処理されたビデオ信号を出力することを特徴とする請求項１７に記載の同時画面をディスプレイする装置。
【請求項１９】
前記同時画面をディスプレイするためにユーザが選択できるように画面上にＰＩＰ画面、ＰＢＰ画面及びＰＷＰ画面を備えたディスプレイメニューをさらに含むことを特徴とする請求項１８に記載の同時画面をディスプレイする装置。
【請求項２０】
前記第１及び第２ビデオ信号は４：３比率を有しており、前記画面は１６：９比率を有していることを特徴とする請求項１９に記載の同時画面をディスプレイする装置。
【請求項２１】
前記スケーラは、前記第１ビデオ信号を１０２４×７６８解像度でスケーリングし、前記第２ビデオ信号を２５６×１９２解像度でスケーリングすることを特徴とする請求項２０に記載の同時画面をディスプレイする装置。
【請求項２２】
前記制御部は、前記主画面を前記補助画面に転換し、前記補助画面を前記主画面に転換することを特徴とする請求項１１に記載の同時画面をディスプレイする装置。
【請求項２３】
前記主画面が前記補助画面に転換される時、前記制御部は、前記主画面の画面比率を維持しつつ前記主画面を段階的に縮小させるスケーリング制御信号を出力し、前記補助画面が前記主画面に転換される時、前記制御部は、前記補助画面の画面比率を維持しつつ前記補助画面を段階的に拡大させるスケーリング制御信号を出力することを特徴とする請求項２２に記載の同時画面をディスプレイする装置。
【請求項２４】
同時画面のディスプレイを可能にするディスプレイ装置で同時画面をディスプレイする方法は、
選択制御信号によって複数のビデオ信号間で第１及び第２ビデオ信号を受信する段階と、
スケーリング制御信号によって前記第１及び第２信号をそれぞれ主画面の解像度及び補助画面の解像度でスケーリングする段階と、
補助画面が前記ディスプレイ装置の画面上の主画面から分離された領域に位置するように前記スケーリングされた第１及び第２ビデオ信号を同時にディスプレイする段階とを含む同時画面をディスプレイする方法。
【請求項２５】
前記同時画面をディスプレイするために複数のＰＩＰ画面、ＰＢＰ画面及びＰＷＰ画面間で選択したディスプレイメニューを画面上にディスプレイする段階をさらに含むことを特徴とする請求項２４に記載の同時画面をディスプレイする方法。
【請求項２６】
前記第１及び第２ビデオ信号の受信段階で、Ｄ−ＳＵＢ端子、ＤＶＩ端子、Ｓ−ＶＩＤＥＯ端子、ＴＶチューナ端子及びＣＯＭＰＯＳＩＴＥ端子のうち一つから第１及び第２ビデオ信号を受信することを特徴とする請求項２５に記載の同時画面をディスプレイする方法。
【請求項２７】
ＰＩＰ画面またはＰＢＰ画面のうち一つを選択し、前記ディスプレイ装置上に選択されたＰＩＰ画面またはＰＢＰ画面をスケーリングしてディスプレイする段階をさらに含むことを特徴とする請求項２４に記載の同時画面をディスプレイする方法。
【請求項２８】
ＰＷＰ画面を選択し、前記ディスプレイ装置上に選択されたＰＷＰ画面をスケーリングしてディスプレイする段階をさらに含むことを特徴とする請求項２４に記載の同時画面をディスプレイする方法。
【請求項２９】
１６：９の画面比率を有するＰＷＰ画面の前記第１及び第２ビデオ信号を４：３の画面割合でそれぞれスケーリングする段階をさらに含むことを特徴とする請求項２８に記載の同時画面をディスプレイする方法。
【請求項３０】
前記第１ビデオ信号を１０２４×７６８解像度でスケーリングし、前記第２ビデオ信号を２５６×１９２解像度でスケーリングする段階をさらに含むことを特徴とする請求項２９に記載の同時画面をディスプレイする方法。
【請求項３１】
画面の左側または右側端部に主画面をディスプレイし、画面の残りの領域の一部に補助画面をディスプレイする段階をさらに含むことを特徴とする請求項３０に記載の同時画面をディスプレイする方法。
【請求項３２】
現在画面比率で主画面を段階的に縮小させることによって主画面を補助画面に転換し、現在画面比率で補助画面を段階的に拡大させることによって補助画面を主画面に転換する段階をさらに含むことを特徴とする請求項２４に記載の同時画面をディスプレイする方法。
【請求項３３】
現在４：３の画面比率で段階的な縮小及び段階的な確定処理を行う段階をさらに含むことを特徴とする請求項３２に記載の同時画面をディスプレイする方法。
【請求項３４】
同時画面のディスプレイが可能なディスプレイ装置で同時画面をディスプレイする方法において、
第１ユーザ選択信号によって同時画面をディスプレイする段階と、
主画面をディスプレイする第１入力ビデオ信号及び補助画面をディスプレイする第２入力ビデオ信号を利用する段階と、
ＰＷＰ画面ディスプレイが選択された時、画面の左側または右側端部に主画面をディスプレイし、画面の残りの領域の一部に補助画面をディスプレイする段階と、
現在画面比率で主画面を段階的に縮小させることによって主画面を補助画面に転換し、現在画面比率で補助画面を段階的に拡大させることによって補助画面を主画面に転換するように第２ユーザ選択によってＰＷＰ画面に対する画面転換を行う段階とを含む同時画面をディスプレイする方法。
【請求項３５】
１０２４×７６８の解像度を有するように４：３画面比率で主画面をスケーリングしかつディスプレイし、２５６×１９２の解像度を有するように４：３画面比率で補助画面をスケーリングしかつディスプレイする段階をさらに含むことを特徴とする請求項３４に記載の同時画面をディスプレイする方法。
【請求項３６】
ユーザに歪曲されていない画面情報を提供し、現在前記主画面及び補助画面の画面比率が維持される間に前記主画面及び補助画面を同時にディスプレイすることによって、画面転換において情報の損失を最小化する段階をさらに含むことを特徴とする請求項３５に記載の同時画面をディスプレイする方法。
【請求項３７】
前記同時画面をディスプレイするために複数のＰＩＰ画面、ＰＢＰ画面及びＰＷＰ画面間で画面上のディスプレイメニューを選択する段階をさらに含むことを特徴とする請求項３６に記載の同時画面をディスプレイする方法。
【請求項３８】
前記第１及び第２ビデオ信号受信段階で、Ｄ−ＳＵＢ端子、ＤＶＩ端子、Ｓ−ＶＩＤＥＯ端子、ＴＶチューナ端子及びＣＯＭＰＯＳＩＴＥ端子のうち一つから主画面及び補助画面ビデオ信号をそれぞれ出力する段階をさらに含むことを特徴とする請求項３７に記載の同時画面をディスプレイする方法。
【請求項３９】
同時画面のディスプレイが可能なディスプレイ装置で同時画面をディスプレイする方法において、
前記ディスプレイ装置のいずれか一端に第１画面をディスプレイする段階と、
画面の残りの領域の一部上に第１画面と同じ画面比率を有する第２画面をディスプレイする段階とを含む同時画面をディスプレイする方法。
【請求項４０】
前記第１画面から前記第２画面に同時に転換し、前記第２画面から前記第１画面に同時に転換する段階をさらに含むことを特徴とする請求項３９に記載の同時画面をディスプレイする方法。
【請求項４１】
前記画面転換中に前記第１及び第２画面の画面比率を維持する段階をさらに含むことを特徴とする請求項４０に記載の同時画面をディスプレイする方法。
【発明の詳細な説明】
【技術分野】
【０００１】
本発明はディスプレイ装置及び方法であって、さらに詳細には同時画面をディスプレイできるディスプレイ機器で主画面をディスプレイ機器の右側または左側空間に偏って４：３割合でディスプレイし、補助画面を残りの空間の一部に４：３割合でディスプレイする同時画面をディスプレイする装置及び方法に関する。
【背景技術】
【０００２】
現在家庭用ＴＶは単純に映像情報をユーザに提供するレベルから脱皮してユーザが映像の視聴感を満喫でき、さらに通信網に接続して情報検索のできる状態まで発展している。また、ワイドテレビの登場によって４：３の画面比率を有するノーマルＴＶとは違って１６：９の画面比率を有する画面に映像を表示してさらに優れた視聴感をユーザに提供できるようになった。
【０００３】
現在ほとんどのＴＶは多様なビデオ信号入力を連結できるビデオインターフェースを備えている。現在ビデオインターフェースを通じて入力されているビデオ信号以外に、他のビデオインターフェースを通じて入力されるビデオ信号を見ようとする時、ユーザは他のビデオインターフェースを連結し、ＴＶのキーボードやリモコンでＯＳＤ（Ｏｎ  Ｓｃｒｅｅｎ  Ｄｉｓｐｌａｙ）を操作してビデオ信号の入出力パスを変換させる。
【０００４】
現在ＴＶ内で二つの画面を同時にディスプレイする方法には、ＰＩＰ（Ｐｉｃｔｕｒｅ  Ｉｎ  Ｐｉｃｔｕｒｅ）またはＰＢＰ（Ｐｉｃｔｕｒｅ  Ｂｙ  Ｐｉｃｔｕｒｅ）がある。
【０００５】
図１Ａは、ＰＩＰを具現した画面を示す図である。図１Ａで、ＰＩＰは主画面と全体画面内に小さくディスプレイされる補助画面とで構成される。同時画面ディスプレイ方法がＰＩＰと設定されている場合、主画面と設定されたビデオ信号を１６：９の画面割合でスケーリングして全体画面にディスプレイする。もし、主画面と設定されたビデオ信号が４：３の画面比率を有すれば、１６：９左右に延びた画面でディスプレイされる。したがって、元来の入力画面情報対比歪曲が発生する。また、ＰＩＰは補助画面と設定されたビデオ信号を１６：９の画面割合でスケーリングして全体画面の特定領域に特定サイズでディスプレイする。もし、補助画面と設定されたビデオ信号が４：３の画面比率を有すれば、１６：９左右に延びた画面でディスプレイされる。したがって、元来の入力画面情報対比歪曲が発生する。
【０００６】
図１Ｂは、ＰＢＰを具現した画面を示す図である。図１Ｂで、ＰＢＰは全体画面を二等分してそれぞれをディスプレイして補助画面１と補助画面２とで構成される。同時画面ディスプレイ方法がＰＢＰと設定された場合、全体画面を二等分して画面比率に合せてそれぞれのビデオ信号をディスプレイする。元来のビデオ信号が４：３の画面比率を有すれば、１６：９上下に延びた画面でディスプレイされる。したがって、元来の入力画面情報対比歪曲が発生する。
【０００７】
図１Ｃは、１６：９比率を有する画面で４：３元来のビデオ信号をそのままディスプレイした画面を表す図であって、４：３ディスプレイ画面以外はブラック画面で処理する。
【０００８】
このような同時画面ディスプレイの説明が特許文献１に記載されている。
【０００９】
同時画面がＰＩＰ方法でディスプレイされる場合、主画面の一部が補助画面によって遮られる。したがって、主画面の全ての情報がディスプレイできない。したがって、ユーザが２つのビデオ信号を受信して同時に作業をしようとすれば、遮られる主画面を見るために主画面をスクロールするか、または補助画面をなくさなければならない不便さがある。また、入力されるビデオ信号値４：３の画面比率を有すれば、表示される画面が元来の情報対比左右（ＰＩＰの場合）または上下（ＰＢＰの場合）の方向に拡大されてディスプレイされるので、ユーザが歪曲された画面を視聴するようになる。
【特許文献１】米国特許第６,５１５,６４３号公報
【発明の開示】
【発明が解決しようとする課題】
【００１０】
本発明が解決しようとする技術的な課題は、主画面をディスプレイ機器の右側または左側空間に偏って４：３割合でディスプレイし、補助画面を残りの空間の一部に４：３割合でディスプレイして主画面情報の損失を防止し、正常的な画面を視聴させうる同時画面をディスプレイする装置及び方法を提供することである。
【課題を解決するための手段】
【００１１】
前記課題を解決するための同時画面をディスプレイする装置は、ワイド型ディスプレイ機器であって、前記ディスプレイ機器の外部から入力される多様なビデオ信号のうち選択制御信号によって一般画面比率を有する所定の第１及び第２ビデオ信号を受信するビデオインターフェースと、スケーリング制御信号によって前記第１ビデオ信号を一般画面比率の主画面解像度でスケーリングし、前記第２ビデオ信号を一般画面比率の補助画面解像度でスケーリングするスケーラと、同時画面ディスプレイのために前記選択制御信号を出力し、前記第１及び第２ビデオ信号の主画面及び補助画面選択信号によって前記第１及び第２ビデオ信号のスケーリング動作を制御し、前記スケーリングされた第１ビデオ信号を画面の一定領域にディスプレイし、前記スケーリングされた第２ビデオ信号を画面の残りの領域の一部に同時にディスプレイする制御部とを含むことが望ましい。
【００１２】
前記課題を解決するための第１実施例による同時画面をディスプレイする方法は、ワイド型ディスプレイ機器の外部から入力される多様なビデオ信号のうち同時画面ディスプレイのために一般画面比率を有する所定の第１及び第２ビデオ信号を受信する段階と、前記第１ビデオ信号を一般画面比率の主画面解像度でスケーリングし、前記第２ビデオ信号を一般画面比率の補助画面解像度でスケーリングする段階と、前記スケーリングされた第１ビデオ信号を画面の一定領域にディスプレイし、前記スケーリングされた第２ビデオ信号を画面の残りの領域の一部に同時にディスプレイする段階とを含むことが望ましい。
【００１３】
前記課題を解決するための第２実施例による同時画面をディスプレイする装置は、同時画面のディスプレイを可能にするディスプレイ装置において、選択制御信号によって複数のビデオ信号間で第１及び第２ビデオ信号を受信するビデオインターフェースと、スケーリング制御信号によって前記第１及び第２信号をそれぞれ主画面の解像度及び補助画面の解像度でスケーリングするスケーラと、前記第１及び第２ビデオ信号のスケーリングを制御して前記ディスプレイ装置の各領域上にそれぞれスケールされたビデオ画面を同時にディスプレイする制御部とを含むことが望ましい。
【００１４】
前記課題を解決するための第２実施例による同時画面をディスプレイする方法は、選択制御信号によって複数のビデオ信号間で第１及び第２ビデオ信号を受信する段階と、スケーリング制御信号によって前記第１及び第２信号をそれぞれ主画面の解像度及び補助画面の解像度でスケーリングする段階と、補助画面が前記ディスプレイ装置の画面上の主画面から分離された領域に位置するように前記スケーリングされた第１及び第２ビデオ信号を同時にディスプレイする段階とを含むことが望ましい。
【００１５】
前記課題を解決するための第３実施例による同時画面をディスプレイする方法は、第１ユーザ選択信号によって同時画面をディスプレイする段階と、主画面をディスプレイする第１入力ビデオ信号及び補助画面をディスプレイする第２入力ビデオ信号を利用する段階と、ＰＷＰ画面ディスプレイが選択された時、画面の左側または右側端部に主画面をディスプレイし、画面の残りの領域の一部に補助画面をディスプレイする段階と、現在画面比率で主画面を段階的に縮小させることによって主画面を補助画面に転換し、現在画面比率で補助画面を段階的に拡大させることによって補助画面を主画面に転換するように第２ユーザ選択によってＰＷＰ（Ｐｉｃｔｕｒｅ  Ｗｉｔｈ  Ｐｉｃｔｕｒｅ）画面に対する画面転換を行う段階とを含むことが望ましい。
【００１６】
前記課題を解決するための第４実施例による同時画面をディスプレイする方法は、前記ディスプレイ装置のいずれか一端に第１画面をディスプレイする段階と、画面の残りの領域の一部上に第１画面と同じ画面比率を有する第２画面をディスプレイする段階を含むことが望ましい。
【発明の効果】
【００１７】
本発明によれば、同時画面をディスプレイするに当って主画面及び補助画面が何れも入力されたビデオ信号の画面比率（４：３）をそのまま維持してディスプレイすることによって画面の歪曲なしに正常的な画面情報を提供できる効果を創出する。
【００１８】
また、同時画面をディスプレイするに当って主画面を補助画面に、補助画面を主画面に転換する時、主画面は段階的に縮小させて補助画面に転換し、補助画面は段階的に拡大させて主画面に転換するために情報の損失を最小化しつつ画面を転換できる。
【発明を実施するための最良の形態】
【００１９】
以下、添付された図面を参照して本発明を詳細に説明する。
【００２０】
図２は、本発明による同時画面をディスプレイする装置の構成を示すブロック図であって、ビデオインターフェース２００、ビデオデコーダ２０１、デインターレーサ２０２、スケーラ２０３、ディスプレイ部２０４及び制御部２０５で構成される。本発明で、ビデオインターフェース２００は、Ｄ−ＳＵＢ端子２００−１、ＤＶＩ（Ｄｉｇｉｔａｌ  Ｖｉｄｅｏ  Ｉｎｔｅｒａｃｔｉｖｅ）端子２００−２、Ｓ（Ｓｅｐｅｒａｔｅ）−ＶＩＤＥＯ端子２００−３、ＴＶチューナ端子２００−４、ＣＯＭＰＯＳＩＴＥ端子２００−５で構成される。
【００２１】
図３Ａ乃至図３Ｃは、図２でディスプレイされた同時画面を説明するための図であって、図３Ａは主画面が全体画面の左側領域に４：３画面割合でディスプレイされ、補助画面が全体画面の残りの領域に４：３画面割合でディスプレイされたことを示す図である。図３Ｂは、主画面が全体画面の右側領域に４：３画面割合でディスプレイされ、補助画面が全体画面の残りの領域に４：３画面割合でディスプレイされたことを示す図である。図３Ｃは、画面転換時に主画面は段階的に縮小させて補助画面に作り、補助画面は段階的に拡大させて主画面に作ることを示す図である。
【００２２】
図４は、本発明による同時画面をディスプレイする方法の動作を示すフローチャートであって、同時画面を動作させるかを判断する段階（４００）、同時画面をディスプレイするための主画面及び補助画面の入力ビデオ信号を選択及び確認する段階（４０１）、同時画面をディスプレイするためにＰＷＰを選択したかを判断する段階（４０２）、従来のＰＩＰまたはＰＢＰで同時画面をディスプレイする段階（４０３）、ディスプレイ部の左側または右側端部から１０２４×７６８（４：３）解像度で主画面をディスプレイする段階（４０４）、主画面ディスプレイ後、残りの領域に２６５×１９２（４：３）解像度で補助画面をディスプレイする段階（４０５）、主画面と補助画面とを転換するかを判断する段階（４０６）、主画面は段階的に縮小して補助画面に転換し、補助画面は段階的に拡大して主画面に転換する段階（４０７）で構成される。
【００２３】
補助画面は、主画面がディスプレイされたことのない画面の残りの領域の一部上にディスプレイされ、画面の残りの領域は、全体ディスプレイ可能な画面領域で主画面をディスプレイしたことのある画面領域を減算した領域と同じである。
【００２４】
次いで、図２ないし図４を参照して本発明を詳細に説明する。
【００２５】
まず、図２及び図３Ａ乃至図３Ｃを参照して同時画面をディスプレイする装置を説明する。
【００２６】
ビデオインターフェース２００は、外部から入力される多種のビデオ信号を受信する。本発明で、ビデオインターフェース２００は、３つの外部機器（パソコン、ゲーム機及びＴＶ）から伝送されたビデオ信号を受信するが、外部機器は３つに制限されない。
【００２７】
ビデオインターフェース２００は、パソコン（図示せず）からＤ−ＳＵＢ端子２００−１及びＤＶＩ端子２００−２を通じて伝送されたビデオ信号を受信する。
【００２８】
ビデオインターフェース２００は、ゲーム機（図示せず）からＳ−ＶＩＤＥＯ端子２００−３を通じて伝送されたビデオ信号を受信する。ここで、Ｓ−ＶＩＤＥＯ信号は、輝度Ｙと色度Ｃとの２つの信号で構成されたビデオ伝送方式であって、色度信号は、ＣＯＭＰＯＳＩＴＥ信号の２つの色差信号を位相変調という方式で作る。ＣＯＭＰＯＳＩＴＥ信号で輝度信号と色度信号とを分離したという意味で‘Ｓ−ＶＩＤＥＯ’の名前を得た。Ｓ−ＶＨＳのような高画質ビデオ装置が開発されるにつれて使用され始め、ＣＯＭＰＯＳＩＴＥ連結よりは良い画質を簡単に作れる長所がある。
【００２９】
また、ビデオインターフェース２００は、ＴＶ（図示せず）からＴＶチューナ端子２００−４及びＣＯＭＰＯＳＩＴＥ端子２００−５を通じて伝送されたビデオ信号を受信する。
【００３０】
同時画面をディスプレイする場合、ビデオインターフェース２００は、制御部２０５の制御下に第１及び第２ビデオ信号を出力する。ここで、第１及び第２ビデオ信号は、Ｄ−ＳＵＢ端子２００−１、ＤＶＩ端子２００−２、Ｓ−ＶＩＤＥＯ端子２００−３、ＴＶチューナ端子２００−４及びＣＯＭＰＯＳＩＴＥ端子２００−５から出力されるビデオ信号のうち何れか二つの信号である。ここで、第１及び第２ビデオ信号は、一般画面比率（４：３）を有するビデオ信号であると仮定する。
【００３１】
ビデオインターフェース２００に入力されるビデオ信号のうちパソコンからＤ−ＳＵＢ端子２００−１またはＤＶＩ端子２００−２を通じて伝送されたビデオ信号は、直ちにスケーラ２０３に出力される。
【００３２】
しかし、ビデオインターフェース２００に入力されるビデオ信号のうちゲーム機からＳ−ＶＩＤＥＯ端子２００−３を通じて伝送されたビデオ信号またはビデオインターフェース２００に入力される信号のうちＴＶからＴＶチューナ端子２００−４またはＣＯＭＰＯＳＩＴＥ端子２００−５を通じて伝送されたビデオ信号は、ビデオデコーダ２０１に出力される。
【００３３】
ビデオデコーダ２０１は、ビデオインターフェース２００から出力されるＳ−ＶＩＤＥＯ端子２００−３、ＴＶチューナ端子２００−４またはＣＯＭＰＯＳＩＴＥ端子２００−５から出力されるビデオ信号をデコーディングしてデインターレーサ２０２に出力する。
【００３４】
デインターレーサ２０２は、デコーディングされたビデオ信号をデインターレースしてスケーラ２０３に出力する。
【００３５】
スケーラ２０３は、入力されるビデオ信号をディスプレイ部２０４の仕様に適した解像度に変換し、解像度以外の多くの映像決定要素の微細な調整機能を調整してディスプレイ部２０４に出力する。ここで、ディスプレイ部２０４はワイド型画面比率、すなわち、１６：９画面比率を有し、スケーラ２０３は受信したビデオ信号を１６：９画面比率に適した１２８０×７６８解像度でスケーリングしてディスプレイ部２０４に出力する。
【００３６】
しかし、ユーザが同時画面をディスプレイするための信号を選択すれば、制御部２０５の制御下にスケーラ２０３は、同時画面ディスプレイのためのスケーリング動作を行う。
【００３７】
制御部２０５は、キーボード（図示せず）またはリモコン（図示せず）に入力された同時画面ディスプレイ信号を受信する。同時画面ディスプレイ信号を受信した制御部２０５は、ディスプレイ部２０４にＯＳＤメニューを出力する。ここで、ＯＳＤメニューは同時画面ディスプレイのためにユーザによって選択されるＰＩＰ、ＰＢＰ、ＰＷＰ（仮称である）である。また、制御部２０５は第１及び第２ビデオ選択信号を受信する。
【００３８】
主画面の第１ビデオ信号は、ビデオインターフェース２００から出力されるＤ−ＳＵＢ端子２００−１またはＤＶＩ端子２００−２から出力される何れか一つのビデオ信号であるか、またはビデオインターフェース２００から出力されるＳ−ＶＩＤＥＯ端子２００−３、ＴＶチューナ端子２００−４またはＣＯＭＰＯＳＩＴＥ端子２００−５から出力される何れか一つのビデオ信号でありうる。
【００３９】
同様に、補助画面の第２ビデオ信号は、ビデオインターフェース２００から出力されるＤ−ＳＵＢ端子２００−１またはＤＶＩ端子２００−２から出力される何れか一つのビデオ信号であるか、ビデオインターフェース２００から出力されるＳ−ＶＩＤＥＯ端子２００−３、ＴＶチューナ端子２００−４またはＣＯＭＰＯＳＩＴＥ端子２００−５から出力される何れか一つのビデオ信号でありうる。
【００４０】
制御部２０５が出力したＯＳＤメニューのうちユーザがＰＩＰまたはＰＢＰを選択した場合、図１Ａまたは図１Ｂに示されたような画面を出力するためにスケーラ２０３にＰＩＰまたはＰＢＰスケーリング動作命令を下す。
【００４１】
制御部２０５が出力したＯＳＤメニューのうちユーザがＰＷＰを選択した場合、図３Ａまたは図３Ｂに示されたような画面を出力するためにスケーラ２０３にＰＷＰスケーリング動作命令を下す。
【００４２】
制御部２０５からＰＷＰスケーリング動作命令を受信したスケーラ２０３は、主画面の第１ビデオ信号を１０２４×７６８（４：３）解像度でスケーリングし、補助画面の第２ビデオ信号を２５６×１９２（４：３）解像度でスケーリングする。
【００４３】
制御部２０５は、スケーリングされた信号をディスプレイ部２０４の一定領域にそれぞれディスプレイさせる。図３Ａ及び図３Ｂは、制御部２０５の制御下に全体画面に同時画面の主画面及び補助画面がディスプレイされた形態を示している。ここで、主画面はパソコンから入力される信号であり、補助画面はＴＶから入力される信号である。
【００４４】
図３Ａは、主画面が全体画面の左側領域に４：３画面割合でディスプレイされ、補助画面が全体画面の残りの領域に４：３画面割合でディスプレイされたことを示している。ワイド型ディスプレイ機器の全体画面は１２８０×７６８（１６：９）解像度を有し、全体画面にディスプレイされる主画面は１０２４×７６８（４：３）解像度で左側領域にディスプレイされ、補助画面は主画面ディスプレイ領域を除外した残りの領域に２５６×１９２（４：３）解像度でディスプレイされる。
【００４５】
図３Ｂは、主画面が全体画面の右側領域に４：３画面割合でディスプレイされ、補助画面が全体画面の残りの領域に４：３画面割合でディスプレイされたことを示している。ワイド型ディスプレイ機器の全体画面は１２８０×７６８（１６：９）解像度を有し、全体画面にディスプレイされる主画面は１０２４×７６８（４：３）解像度で右側領域にディスプレイされ、補助画面は主画面ディスプレイ領域を除外した残りの領域に２５６×１９２（４：３）解像度でディスプレイされる。
【００４６】
また、制御部２０５は、ユーザから画面転換信号を受信する。画面転換とは、現在ディスプレイされている主画面を補助画面に、補助画面を主画面に転換することである。画面転換信号を受信した制御部２０５は、スケーラ２０３に画面転換のためのスケーリング動作命令を下す。図３Ｃにスケーリング動作によって画面転換する時、主画面は段階的に縮小させて補助画面に転換し、補助画面は段階的に拡大させて主画面に転換することを示している。
【００４７】
スケーラ２０３は、１０２４×７６８（４：３）解像度の主画面を段階的に縮小するスケーリングを行って最終２５６×１９２（４：３）解像度の補助画面にスケーリングする。また、段階的なスケーリング縮小も４：３割合でなされる。この時、制御部２０５によって主画面が補助画面に転換される過程がディスプレイ部２０４に表示される。
【００４８】
スケーラ２０３は、２５６×１９２（４：３）解像度の補助画面を段階的に拡大するスケーリングを行って最終１０２４×７６８（４：３）解像度の主画面にスケーリングする。また、段階的なスケーリング拡大も４：３割合でなされる。この時、制御部２０５によって補助画面が主画面に転換される過程がディスプレイ部２０４に表示される。
【００４９】
次いで、図３Ａ乃至図３Ｃ及び図４を参照して同時画面をディスプレイする方法を説明する。
【００５０】
制御部２０５は、ユーザからの同時画面ディスプレイ信号の受信如何によって同時画面が動作するかいかんを判断する（４００段階）。ユーザは同時画面をディスプレイするかを決定する。
【００５１】
制御部２０５は、キーボード（図示せず）またはリモコン（図示せず）に入力された同時画面ディスプレイ信号を受信する。同時画面ディスプレイ信号を受信した制御部２０５は、ディスプレイ部２０４にＯＳＤメニューを出力する。ここで、ＯＳＤメニューは同時画面ディスプレイのためにユーザによって選択されるＰＩＰ、ＰＢＰ、ＰＷＰである。
【００５２】
制御部２０５は、同時画面をディスプレイするためにユーザから選択された主画面及び補助画面の入力ビデオ信号を受信する（４０１段階）。
【００５３】
ここで、第１及び第２ビデオ信号は、一般画面比率（４：３）を有するビデオ信号であると仮定する。主画面の第１ビデオ信号は、ビデオインターフェース２００から出力されるＤ−ＳＵＢ端子２００−１またはＤＶＩ端子２００−２から出力される何れか一つのビデオ信号であるか、またはビデオインターフェース２００から出力されるＳ−ＶＩＤＥＯ端子２００−３、ＴＶチューナ端子２００−４またはＣＯＭＰＯＳＩＴＥ端子２００−５から出力される何れか一つのビデオ信号でありうる。同様に、第２ビデオ信号は、ビデオインターフェース２００から出力されるＤ−ＳＵＢ端子２００−１またはＤＶＩ端子２００−２から出力される何れか一つのビデオ信号であるか、またはビデオインターフェース２００から出力されるＳ−ＶＩＤＥＯ端子２００−３、ＴＶチューナ端子２００−４またはＣＯＭＰＯＳＩＴＥ端子２００−５から出力される何れか一つのビデオ信号でありうる。
【００５４】
制御部２０５が出力したＯＳＤメニューのうち同時画面をディスプレイするために、ユーザがＰＷＰを選択したかを判断する（４０２段階）、
制御部２０５が出力したＯＳＤメニューのうち同時画面をディスプレイするためにＰＩＰまたはＰＢＰを選択した場合、従来のＰＩＰまたはＰＢＰで同時画面をディスプレイする（４０３段階）。制御部２０５が出力したＯＳＤメニューのうちユーザがＰＩＰまたはＰＢＰを選択した場合、図１Ａまたは図１Ｂに示されたような画面を出力するためにスケーラ２０３に動作命令を下す。スケーラ２０３は、ＰＩＰまたはＰＢＰに適するスケーリング動作を行った後、制御部２０５の制御下にスケーリングされたビデオ信号をディスプレイ部２０４に出力する。
【００５５】
制御部２０５が出力したＯＳＤメニューのうち同時画面をディスプレイするためにＰＷＰ（仮称である）を選択した場合、ディスプレイ部２０４の左側または右側端部から１０２４×７６８（４：３）解像度で主画面をディスプレイし、主画面のディスプレイ後に残りの領域に２６５×１９２（４：３）解像度で補助画面をディスプレイする（４０４,４０５段階）。
【００５６】
制御部２０５が出力したＯＳＤメニューのうちユーザがＰＷＰを選択した場合、図３Ａまたは図３Ｂに示されたような画面を出力するためにスケーラ２０３に動作命令を下す。制御部２０５からＰＷＰスケーリング動作命令を受信したスケーラ２０３は、主画面の第１ビデオ信号を１０２４×７６８（４：３）解像度でスケーリングし、補助画面の第２ビデオ信号を２５６×１９２（４：３）解像度でスケーリングする。
【００５７】
制御部２０５は、スケーリングされた信号をディスプレイ部２０４の一定領域にそれぞれディスプレイさせる。図３Ａ及び図３Ｂは、制御部２０５の制御下に全体画面に同時画面の主画面及び補助画面がディスプレイされた形態を表している。
【００５８】
図３Ａは、全体画面（１２８０×７６８（１６：９））の左側領域に主画面が１０２４×７６８（４：３）解像度でディスプレイされ、全体画面の残りの領域の一部に補助画面が２５６×１９２（４：３）解像度でディスプレイされたことを示している。図３Ｂは、全体画面（１２８０×７６８（１６：９））の右側領域に主画面が１０２４×７６８（４：３）解像度でディスプレイされ、全体画面の残りの領域の一部に補助画面が２５６×１９２（４：３）解像度でディスプレイされたことを示している。
【００５９】
制御部２０５は、ユーザからの画面転換信号の受信如何によって現在表示されている同時画面の主画面と補助画面とを転換するかを判断する（４０６段階）。
【００６０】
ユーザから同時画面の主画面と補助画面とを転換する信号を受信した制御部２０５は、主画面は段階的に縮小して補助画面に転換し、補助画面は段階的に拡大して主画面に転換する（４０７段階）。
【００６１】
画面転換信号を受信した制御部２０５は、スケーラ２０３に画面転換のためのスケーリング動作命令を下す。図３Ｃにスケーリング動作によって画面転換時に主画面は段階的に縮小させて補助画面に転換され、補助画面は段階的に拡大させて主画面に転換されることを示している。
【００６２】
スケーラ２０３は、１０２４×７６８（４：３）解像度の主画面を段階的に縮小するスケーリングを行って最終２５６×１９２（４：３）解像度の補助画面にスケーリングする。また、段階的なスケーリング縮小も４：３割合でなされる。スケーラ２０３は、２５６×１９２（４：３）解像度の補助画面を段階的に拡大するスケーリングを行って最終１０２４×７６８（４：３）解像度の主画面にスケーリングする。また、段階的なスケーリング拡大も４：３割合でなされる。この時、画面転換過程がディスプレイ部２０４に表示される。
【００６３】
以上、本発明についてその望ましい実施例を中心に説明した。当業者は、本発明の本質的な特性から外れない範囲内で変形された形態に具現されうることが理解できる。したがって、開示された実施例は限定的な観点ではなく、説明的な観点で考慮されなければならない。本発明の範囲は前述した説明ではなく、特許請求の範囲に表れており、それと同等な範囲内にある全ての差異点は、本発明に含まれていると解釈されなければならない。
【産業上の利用可能性】
【００６４】
本発明によるディスプレイ装置及び方法は、例えば、ＴＶ、ビデオ、映画などのディスプレイ装置に利用されうる。
【図面の簡単な説明】
【００６５】
【図１Ａ】従来の同時画面ディスプレイを説明するための図である。
【図１Ｂ】従来の同時画面ディスプレイを説明するための図である。
【図１Ｃ】従来の同時画面ディスプレイを説明するための図である。
【図２】本発明による同時画面をディスプレイする装置の構成を示すブロック図である。
【図３Ａ】図２でディスプレイされた同時画面を説明するための図である。
【図３Ｂ】図２でディスプレイされた同時画面を説明するための図である。
【図３Ｃ】図２でディスプレイされた同時画面を説明するための図である。
【図４】本発明による同時画面をディスプレイする方法の動作を示すフローチャートである。
【符号の説明】
【００６６】
２００  ビデオインターフェース
２０１  ビデオデコーダ
２０２  デインターレーサ
２０３  スケーラ
２０４  ディスプレイ部
２０５  制御部
【図１Ａ】
2005020743.tif 000003
【図１Ｂ】
2005020743.tif 000004
【図１Ｃ】
2005020743.tif 000005
【図２】
2005020743.tif 000006
【図３Ａ】
2005020743.tif 000007
【図３Ｂ】
2005020743.tif 000008
【図３Ｃ】
2005020743.tif 000009
【図４】
2005020743.tif 000010